(57)【要約】【課題】書き換え可能な光ディスクにおいて、記録後一定時間放置した場合にオーバーライト特性が変化し、通常の試し書きで求めた記録パワー、消去パワーでは十分な記録品質が確保できず所望のエラーレートが得られないという問題を生じる場合がある。【解決手段】光ディスクを記録装置に挿入する際に、光ディスクに設けられた試し書き領域を使用して第１の試し書きを行うとともに、記録開始時に記録先頭部分の記録、再生を行って記録品質を評価し、記録品質が悪い場合には記録先頭部分を使用して第２の試し書きを行い、第２の試し書きで求めた記録パワーおよび消去パワーで以降のデータを記録するようにした。【選択図】  図１
2008117458.tif 000002
【特許請求の範囲】
【請求項１】
書き換え可能な光ディスクへの光ディスク記録方法において、
前記光ディスクを光ディスク記録装置に挿入する際に前記光ディスクに設けられた試し書き領域を使用して第１の試し書きを行って第１の記録パワーおよび第１の消去パワーを設定するとともに、
前記第１の記録パワーおよび第１の消去パワーで規定量の情報データを記録した直後に、記録した情報データ記録領域のデータ再生を行って記録品質を評価し、
前記情報データ記録領域の記録品質がオーバーライト起因で悪いと判断された場合には前記情報データ記録領域を使用して記録パワーに対する第２の試し書きを行い、前記記録パワーを前記第２の試し書きで求めた第２の記録パワーで以降の前記情報データを記録するようにしたことを特徴とする光ディスク記録方法。
【請求項２】
書き換え可能な光ディスクへの光ディスク記録方法において、
前記光ディスクを光ディスク記録装置に挿入する際に前記光ディスクに設けられた試し書き領域を使用して第１の試し書きを行って第１の記録パワーおよび第１の消去パワーを設定するとともに、
これから記録する情報データ記録領域がすでに記録済みの場合には前記情報データ記録領域を使用して記録パワーに対する第２の試し書きを行い、
前記第１の記録パワーおよび第１の消去パワーで規定量の情報データを記録した直後に、記録した情報データ記録領域のデータ再生を行って記録品質を評価し、
前記情報データ記録領域の記録品質がオーバーライト起因で悪いと判断された場合には、記録パワーを前記第２の試し書きで求めた第２の記録パワーに切り換えて前記情報データを記録するようにしたことを特徴とする光ディスク記録方法。
【請求項３】
請求項１、２記載の光ディスク記録方法において、
前記第２の試し書きでは、記録パワーと消去パワーとの比を前記第１の記録パワーと前記第１の消去パワーとの比と等しい状態で同時にパワー値を変化させ、前記第２の試し書きで求めた第２の記録パワーおよび第２の消去パワーで以降の前記情報データを記録するようにしたことを特徴とする光ディスク記録方法。
【請求項４】
請求項１から３いずれか一項記載の光ディスク記録方法において、
書き換え可能な前記光ディスクがランド、グルーブ記録方式であり、前記第２の試し書きを前記ランド部分で行い、ランド側は前記第２の試し書きで求めた第２の記録パワー、グルーブ側は前記第１の試し書きで求めた第１の記録パワーで以降の情報データを記録するようにしたことを特徴とする光ディスク記録方法。
【請求項５】
書き換え可能な光ディスクと、
前記光ディスクを回転させるためのモータと、
前記光ディスクにレーザ光を照射してデータを記録するピックアップを備えた光ディスク記録装置において、
前記ピックアップのレーザ照射パワーを制御するパワー制御手段と、
前記パワー制御手段により試し書きを行い、その検出結果である記録用最適パワー値を格納するための第１のパワー記憶手段、第２のパワー記憶手段と、
記録された情報データの記録品質を評価する記録品質評価手段を備え、
前記光ディスクへの記録に先立って前記光ディスクに設けられた試し書き領域を使用して第１の試し書きを行い、
前記第１の試し書きによって検出された第１のパワーを前記第１のパワー記憶手段に格納するとともに、
前記第１のパワーで規定量の情報データを記録した直後に、記録した情報データ記録領域のデータ再生を行って前記記録品質評価手段によって記録品質を評価し、
前記情報データ記録領域の記録品質がオーバーライト起因で悪いと判断された場合には前記情報データ記録領域を使用して第２の試し書きを行い、
前記第２の試し書きよって検出された第２のパワーを前記第２のパワー記憶手段に格納するとともに、前記第２の試し書きで求めた第２のパワーで以降の前記情報データを記録するようにしたことを特徴とする光ディスク記録装置。
【請求項６】
書き換え可能な光ディスクと、
前記光ディスクを回転させるためのモータと、
前記光ディスクにレーザ光を照射してデータを記録するピックアップを備えた光ディスク記録装置において、
前記ピックアップのレーザ照射パワーを制御するパワー制御手段と、
前記パワー制御手段により試し書きを行い、その検出結果である記録用最適パワー値を格納するための第１のパワー記憶手段、第２のパワー記憶手段と、
記録された情報データの記録品質を評価する記録品質評価手段を備え、
前記光ディスクへの記録に先立って前記光ディスクに設けられた試し書き領域を使用して第１の試し書きを行い、
前記第１の試し書きによって検出された第１のパワーを前記第１のパワー記憶手段に格納するとともに、
これから記録する情報データ記録領域がすでに記録済みの場合には前記情報データ記録領域を使用して第２の試し書きを行い、
前記第２の試し書きよって検出された第２のパワーを前記第２のパワー記憶手段に格納するとともに、
記録時には前記第１のパワーで規定量の情報データを記録した直後に、記録した情報データ記録領域のデータ再生を行って前記記録品質評価手段によって記録品質を評価し、
前記情報データ記録領域の記録品質がオーバーライト起因で悪いと判断された場合には、記録パワーを前記第２の試し書きで求めた第２の記録パワーに切り換えて前記情報データを記録するようにしたことを特徴とする光ディスク記録装置。
【請求項７】
請求項５または６記載の光ディスク記録装置において、
書き換え可能な前記光ディスクがランド、グルーブ記録方式であり、前記第２の試し書きを前記ランド部分で行い、ランド側は前記第２の試し書きで求めた第２のパワーで、グルーブ側は前記第１の試し書きで求めた第１のパワーで前記情報データを記録するようにしたことを特徴とする光ディスク記録装置。
【請求項８】
請求項５から７いずれか一項記載の光ディスク記録装置において、
前記光ディスクのＩＤコードの内容により、前記第２の試し書きの実行を制御するようにしたことを特徴とする光ディスク記録装置。
【発明の詳細な説明】
【技術分野】
【０００１】
本発明は書き換え可能な光ディスクへの情報記録方法および光ディスク記録装置に関し、特に光ディスクのオーバーライト特性による記録品質の悪化を改善する光ディスク記録方法および光ディスク記録装置に関する。  
【背景技術】
【０００２】
近年、ＤＶＤ−ＲＡＭや、ＤＶＤ−ＲＷなどの書き換え可能な光ディスクの市場が拡大している。ＤＶＤ−ＲＡＭでは、記録時にはレーザの照射によって記録膜に結晶化部分とアモルファス部分とを生成し、それぞれを記録情報データの『０』、『１』に対応させるとともに、再生時にはその反射率の違い（結晶化部分＞アモルファス部分）によってデータの『０』、『１』を判別する相変化記録方式を採用している。この相変化記録方式では、記録時に記録パワー（Ｐｗ）および消去パワー（Ｐｅ）の２値レベルからなる記録パルスを使用し、既に記録されている情報データ(旧データ)を消去しながら新データを記録する（以下、オーバーライトと記す）構成となっている。
【０００３】
このような書き換え可能な光ディスクに対応する記録装置では、ディスク媒体の膜特性、使用しているレーザ発光特性、ディスクとピックアップの相互位置関係などにより最適な記録パワー値が変わるため、ディスクを記録装置にローディングした後、情報信号記録を開始する前にそのディスクに対する記録パワー、および消去パワーの最適値を求める記録パワー制御（ＯＰＣ：Ｏｐｔｉｍｕｍ  Ｐｏｗｅｒ  Ｃｏｎｔｒｏｌ。以下、試し書きと記す）を設けている。
【０００４】
ＤＶＤ−ＲＡＭでは、ディスクの最内周および最外周に設けられたＤｒｉｖｅ  ｔｅｓｔ  ｚｏｎｅ を使用して試し書きを実行し、その装置、そのディスクの組み合わせに対する記録パワー、消去パワーの最適値を求める。ここで記録装置によっては試し書きに使用する領域を試し書き動作安定性を確保するために、試し書きの開始時あるいは終了時に記録された試し書き用信号を消去することがある。このような条件で実施された試し書きで求められた最適パワー値はデータ記録領域の無記録部分に対応したものとなるので、ディスクによってはオーバーライト特性の影響で上記の試し書きで求めた無記録部分に対応した最適パワー値では、記録されている旧データ部を十分に消去しきれないため、新データの記録品質を確保することが難しく、たとえば新データのエラーレートが悪化するような状況になることがある。
【０００５】
この問題を解決するための方法が、例えば特許文献１に記載されている。本公報においては、書き換え型光ディスクに新しいデータをオーバーライトする際に、旧データが記録された部分に所定量ずつ消去パワーを変化させながら複数段階の消去パワーのレーザ光を連続的に照射して、旧データを試し消去する。次に試し消去した旧データ部分に再生レベルのレーザ光を照射して再生を行い、再生信号中の雑音レベルが最小となる部分に照射したレーザ光の消去パワーレベルを最適消去パワーに設定するようになされている。
【０００６】
【特許文献１】特開２００４−２７３０７４号公報  第１０頁  図８
【発明の開示】
【発明が解決しようとする課題】
【０００７】
ＤＶＤ−ＲＡＭの場合、一般的には広いパワーマージンがあり、オーバーライト時にこのように記録パワー、消去パワーを変更する処理を必要とはせず、ディスクローディング時に行うＤｒｉｖｅ  ｔｅｓｔ  ｚｏｎｅを使用した試し書きで求めたパワー値で十分対応できる。しかし、一部のディスクでは記録後一定時間放置した場合にオーバーライト特性が変化し、上記の試し書きで求めた記録パワー、消去パワーでは十分な記録品質が確保できず所望のエラーレートが得られないという問題を生じる。本発明者が検討した結果、このようなディスクでは記録動作の再実行（以下、ライトリトライと記す）をすればパワーを増加させることなく一定の記録品質（データ再生には問題ないレベル）が確保できることがわかった。ただし、このままでは各情報データの記録に対してオーバーライト動作をそれぞれ２回ずつ行うことになるので、一定量のデータを記録するのに単純に通常の２倍の時間を費やすことになる。また、このような特徴を有するディスクにおいては、もともとの記録パワー対再生ジッター特性が不安定であり、消去パワーを単純に増加させる、あるいは上記公報に示されたような消去パワーのみを最適化する方法では、ディスクおよび記録装置の性能ばらつきに対して十分な記録性能マージンを確保できないという問題がある。
【０００８】
本発明の目的は、オーバーライト特性の悪いディスクに対して、オーバーライト時に最適な記録パワー、消去パワーで記録することを可能にした光ディスク記録方法および光ディスク記録装置を提供することにある。
【課題を解決するための手段】
【０００９】
本発明にかかわる第１の光ディスク記録方法では、書き換え可能な光ディスクへのデータ記録において、前記光ディスクを光ディスク記録装置に挿入する際に前記光ディスクに設けられた試し書き領域を使用して第１の試し書きを行って第１の記録パワーおよび第１の消去パワーを設定するとともに、前記第１の記録パワーおよび第１の消去パワーで規定量の情報データを記録した直後に、記録した情報データ記録領域のデータ再生を行って記録品質を評価し、前記情報データ記録領域の記録品質がオーバーライト起因で悪いと判断された場合には前記情報データ記録領域を使用して記録パワーに対する第２の試し書きを行い、前記記録パワーを前記第２の試し書きで求めた第２の記録パワーで以降の前記情報データを記録するようにした。
【００１０】
第２の光ディスク記録方法では、書き換え可能な光ディスクへのデータ記録において、前記光ディスクを光ディスク記録装置に挿入する際に前記光ディスクに設けられた試し書き領域を使用して第１の試し書きを行って第１の記録パワーおよび第１の消去パワーを設定するとともに、これから記録する情報データ記録領域がすでに記録済みの場合には前記情報データ記録領域を使用して記録パワーに対する第２の試し書きを行い、前記第１の記録パワーおよび第１の消去パワーで規定量の情報データを記録した直後に、記録した情報データ記録領域のデータ再生を行って記録品質を評価し、前記情報データ記録領域の記録品質がオーバーライト起因で悪いと判断された場合には、記録パワーを前記第２の試し書きで求めた第２の記録パワーに切り換えて前記情報データを記録するようにした。
【００１１】
また、第３の光ディスク記録方法では、第２の試し書きは、記録パワーと消去パワーの比を前記第１の記録パワーと第１の消去パワーとの比と等しく設定した状態でパワー値を変化させ、前記第２の試し書きで求めた第２の記録パワーおよび第２の消去パワーで以降の前記情報データを記録するようにした。
【００１２】
第４の光ディスク記録方法では、書き換え可能な前記光ディスクがランド、グルーブ記録方式であり、前記第２の試し書きを前記ランド部分で行い、ランド側は前記第２の試し書きで求めた第２の記録パワー、グルーブ側は前記第１の試し書きで求めた第１の記録パワーで以降の情報データを記録するようにした。
【００１３】
第５の光ディスク記録装置においては、書き換え可能な光ディスクと、前記光ディスクを回転させるためのモータと、前記光ディスクにレーザ光を照射してデータを記録するピックアップを備えた光ディスク記録装置において、前記ピックアップのレーザ照射パワーを制御するパワー制御手段と、前記パワー制御手段により試し書きを行い、その検出結果である記録用最適パワー値を格納するための第１のパワー記憶手段、第２のパワー記憶手段と、記録された情報データの記録品質を評価する記録品質評価手段を備え、前記光ディスクへの記録に先立って前記光ディスクに設けられた試し書き領域を使用して第１の試し書きを行い、前記第１の試し書きによって検出された第１のパワーを前記第１のパワー記憶手段に格納するとともに、前記第１のパワーで規定量の情報データを記録した直後に、記録した情報データ記録領域のデータ再生を行って前記記録品質評価手段によって記録品質を評価し、前記情報データ記録領域の記録品質がオーバーライト起因で悪いと判断された場合には前記情報データ記録領域を使用して第２の試し書きを行い、前記第２の試し書きよって検出された第２のパワーを前記第２のパワー記憶手段に格納するとともに、前記第２の試し書きで求めた第２のパワーで以降の前記情報データを記録するようにした。
【００１４】
第６の光ディスク記録装置においては、書き換え可能な光ディスクと、前記光ディスクを回転させるためのモータと、前記光ディスクにレーザ光を照射してデータを記録するピックアップを備えた光ディスク記録装置において、前記ピックアップのレーザ照射パワーを制御するパワー制御手段と、前記パワー制御手段により試し書きを行い、その検出結果である記録用最適パワー値を格納するための第１のパワー記憶手段、第２のパワー記憶手段と、記録された情報データの記録品質を評価する記録品質評価手段を備え、前記光ディスクへの記録に先立って前記光ディスクに設けられた試し書き領域を使用して第１の試し書きを行い、前記第１の試し書きによって検出された第１のパワーを前記第１のパワー記憶手段に格納するとともに、これから記録する情報データ記録領域がすでに記録済みの場合には前記情報データ記録領域を使用して第２の試し書きを行い、前記第２の試し書きよって検出された第２のパワーを前記第２のパワー記憶手段に格納するとともに、記録時には前記第１のパワーで規定量の情報データを記録した直後に、記録した情報データ記録領域のデータ再生を行って前記記録品質評価手段によって記録品質を評価し、前記情報データ記録領域の記録品質がオーバーライト起因で悪いと判断された場合には、記録パワーを前記第２の試し書きで求めた第２の記録パワーに切り換えて前記情報データを記録するようにした。
【００１５】
第７の光ディスク記録装置においては、前記光ディスクのＩＤコードの内容により、前記第２の試し書きの実行を制御するようにした
【発明の効果】
【００１６】
本発明によれば、安定な記録が行なえ、光ディスク記録方法および光ディスク記録装置の信頼性向上を図ることができる。
【発明を実施するための最良の形態】
【００１７】
以下、本発明の実施形態を図を用いて説明する。
【実施例１】
【００１８】
図１は本発明によるディスク記録装置のブロック図であり、１はディスク、２はモータ、３はサーボ回路、４はピックアップ、５はＲＦアンプ、６はイコライザ回路、７はレーザ駆動回路、８は信号処理回路、９はパワー制御回路、１０はオーバーライト判定回路、１１は第１パワー記憶部、１２は第２パワー記憶部、１３は光ディスク記録装置、１４はドライブ制御装置である。
【００１９】
まず、光ディスク記録装置１３に、たとえばＤＶＤ−ＲＡＭディスク１が挿入されるとモータ２、サーボ回路３によってディスク１を回転させ、ピックアップ４、ＲＦアンプ５、イコライザ回路６を介してディスク１上に記録されたコントロール信号などの情報を読み取り、信号処理回路８によってディスク媒体判別が行われる。ここで挿入されたディスク１がＤＶＤ−ＲＡＭと判別されると、パワー制御回路９を動作させて試し書きを行い、そのディスク１への記録パワー、消去パワー値を決定する。ＤＶＤ−ＲＡＭの場合は、あらかじめこの試し書き用に専用エリア（前述のＤｒｉｖｅ  ｔｅｓｔ  ｚｏｎｅ）がディスク１の最内周、最外周にそれぞれ設けられている。この試し書きでは挿入されたディスク１が初期状態の場合には、ディスク１に記録されているコントロールデータを基準に試し書きスタートパワー値を決め、すでに当該ディスク記録装置１３によって１回以上記録されている場合には、ＤＩＺ（Ｄｉｓｃ  Ｉｄｅｎｔｉｆｉｃａｔｉｏｎ  Ｚｏｎｅ）に記録されている最適パワー情報を基準として試し書きを実行する。このディスク１のローディング時の試し書きによって当該ディスク１、光ディスク記録装置１３の組み合わせに対する最適記録パワー、消去パワーが求まると信号処理回路８の動作によって第１パワー記憶部１１にこのパワー値を記憶した後に、光ディスク記録装置１３は動作待ち状態となり、その後はたとえばホストコンピュータで構成されるドライブ制御装置１４の指令に基づきデータの記録または再生状態に制御される。
【００２０】
記録時には、サーボ回路３はディスク１を所定のスピードで回転させるとともに、レーザスポットのフォーカスおよびトラッキング制御を行い、情報データを順次記録していく。パワー制御回路９は第１パワー記憶部１１に記憶されている記録パワー、消去パワーデータを読み出すとともに信号処理回路８で生成される記録データ列とともにレーザ駆動回路７に送出する。レーザ駆動回路７は記録データ信号のパワー値を所定の値に変換し、ピックアップ4に搭載されたレーザダイオード(図示せず)の照射によってディスク１上にデータを記録する。次に一定量のデータが記録されたならばリードアフターライト処理により記録済み信号の記録品質がチェックされ、一定値以上の記録品質が確保されていないときにはライトリトライ処理、ディスク欠陥などでライトリトライを繰り返しても記録品質が改善されない場合には交替処理が実施される。ここで書き換え可能なディスク１のオーバーライト特性が悪い場合には、一定の記録品質が確保されるまでライトリトライが繰り返されることになり、結果的にデータ記録所要時間が増加するという問題を生じる。
【００２１】
以下、ＤＶＤ−ＲＡＭディスクの中で特にオーバーライト特性の悪いディスクの挙動について説明する。
【００２２】
図２に消去パワーの変化に対するオーバーライト特性の一例を示す。図２は下地となる記録信号の記録パワー（Ｐｗ）、消去パワー（Ｐｅ）を第１の試し書きによって求めた値に設定して複数のエリアに情報データを記録し、次に消去パワー（Ｐｅ）のみを順次変えてそれぞれの記録済みエリアをオーバーライトした場合のエラーの変化を示したものである。図２における縦軸のエラー数はたとえばパリティエラー数やＰＬＬ回路の位相誤差信号の分散などから計算された数値であり、再生ジッターとほぼ等価な指標である。ここでエラー数５０個以下が再生エラーを生じない閾値とすると、オーバーライト特性の悪いディスク１では消去パワーだけを増してもデータ再生上問題ないジッター値までは改善できないことになる。
【００２３】
図３に記録パワーの変化に対するオーバーライト特性の一例を示す。図３は図２に示した方法と同様に、下地となる記録信号の記録パワー（Ｐｗ）、消去パワー（Ｐｅ）を第１の試し書きによって求めた値に設定して複数のエリアに情報データを記録し、次に記録パワー（Ｐｗ）のみを変えてそれぞれの記録済みエリアをオーバーライトした場合のエラー数の変化を示したものである。図３より記録パワー（Ｐｗ）を増していくとオーバーライト後のエラー数は改善するものの徐々に飽和していくことがわかるが、これはもともとのディスクの性能が悪いことを示している。ここでもっとも改善比率が大きいのは、試し書きパワーに対して５〜８％記録パワー（Ｐｗ）を増した場合である。
【００２４】
図４に記録パワー、消去パワーの変化に対するオーバーライト特性の一例を示す。図４は図２、図３に示した方法に対して、下地となる記録信号の記録パワー（Ｐｗ）、消去パワー（Ｐｅ）の比（Ｐｗ／Ｐｅ）を一定でパワー値をそれぞれ変えて別のエリアに記録し、次にそのディスクの最適記録パワー、消去パワー（前述した試し書きによって取得したパワー値）によってそれぞれのエリアをオーバーライトした場合のエラー数の変化をグルーブ、ランドに分けて示したものである。グルーブ側のオーバーライトマージンは非常に広く下地記録パワーの変化に対するエラー数の悪化は少ないが、ランド側はオーバーライト記録パワーに対して少しでも下地記録パワーが高いとエラー率が悪化している。一般的なＤＶＤ−ＲＡＭディスクではこのような現象はなく、ランドの特性はグルーブとほぼ同等の性能である。以上から、オーバーライト特性が悪いディスクはランド側の特性に原因があることがわかる。また、このようなディスクでは記録直後に再度オーバーライトした時よりも、数十分から１時間以上経過してからオーバーライトした時のほうが消去特性が悪化することもわかった。
【００２５】
図５にオーバーライト回数に対するエラー数変化の一例を示す。図５は、記録パワー、消去パワーを一定値とし、同一個所を繰り返しオーバーライトした場合のエラー数の変化を測定したもので、１回目のオーバーライトではエラー数は著しく悪化するが、２回目以降のオーバーライトでは同一の記録パワー、消去パワーであってもエラー数はほぼ一定値に収束している。この結果から、もともとのディスクの性能が悪いためオーバーライト回数を増してもエラー数は０とはならないがオーバーライト２回目以降は再生データエラーを発生しない程度に記録品質は改善しているといえる。
【００２６】
以上、図２から図５に示したような光ディスクの特性を考慮し従来の光ディスク記録装置１３では、記録直後にデータを再生し、記録したデータの記録品質が悪い場合にはライトリトライを実施することによって記録データの信頼性を確保していた。しかし、この方法では前述したようなオーバーライト特性が極端に悪い光ディスクではランド側のオーバーライト動作をそれぞれ２回ずつ行うことになるので、一定量のデータを記録するのに単純に１．５倍の時間を費やすことになる。たとえばＤＶＤ−ＲＡＭの３倍速ディスクに全面記録する場合（４．７ＧＢ）、通常ではリードアフタライトを行いながら記録するとおよそ４０分で記録が終了するが、ここでオーバーライト特性が悪くライトリトライが多発するようなディスク１を使用すると、全面記録を完了するのに最悪１時間以上もかかってしまう場合がある。
【００２７】
そこで図１に示した本発明の第１の実施形態では書き換え可能なディスク１にデータを記録する場合、ディスク１のローディング時にディスク１に設けられた試し書き部を使用して通常の第１の試し書きを行うとともに、データ記録開始後にライトリトライが多発しオーバーライト判定回路１０がオーバーライト特性の悪化と判断した場合には、そのアドレス位置において第２の試し書きを実施するようにした。オーバーライト判定回路１０は、たとえばライトリトライの回数などをモニタし、当該記録部分の記録品質の悪化がオーバーライト特性によるものか、ディスクの欠陥によるものかどうかを判別する動作を行う。ディスク欠陥の場合、ライトリトライを繰り返してもエラー数は減少しないが、オーバーライト特性悪化の場合にはライトリトライを行うことによってエラー数が減少することから判別できる。
【００２８】
図２、図３で示したように時間経過によりオーバーライト特性が悪化するディスク１では最適消去パワーはほとんど変化せず、最適記録パワーが増す方向にあるため、ここで行う第２の試し書きでは消去パワースキャン(以下、Ｐｅスキャンと記す)は行わず、記録パワースキャン（以下、Ｐｗスキャンと記す）のみ、記録パワーと消去パワーの比を一定に保ちながら全体的なパワーを変化させるパワースキャン方式（以下、Ｐｗ／Ｐｅスキャンと記す）のみ、あるいはＰｗスキャン、Ｐｗ／Ｐｅスキャンの両方式を選択するようにした。第２の試し書きシーケンスはディスク１のローディング時における従来の第１の試し書きと同じでよく、たとえばＰｗスキャンを行う場合には１６セクタで構成される１ブロックに各セクタごとにＰｗレベルを階段状に変えて記録し、同ブロックを再生して記録信号の再生ジッターが許容値以下となるパワー値(セクタ位置)をオーバーライト時の最適記録パワーとする。ここで第２の試し書きに使用する信号は第１の試し書きで使用される６Ｔ−６Ｔ（Ｔはビット周期）などの繰り返しパターン(単一周波数信号)でも良いし、通常のランダムデータ列でも良い。また再生ジッターの検出には、第２の試し書きに使用する信号が上記の単一周波数信号である場合には、前述したＰＬＬの位相誤差信号を使用する（位相誤差が閾値以上になるとパルスを出力させる）方式、ランダムデータ信号である場合には再生信号中のデータ同期信号エラー値またはデータパリティエラー数などをそのまま判定基準にすればよい。このジッター検出方式では従来技術で開示された消去後のノイズレベル測定方式に比較して振幅の大きい信号を扱うので最適パワーの設定精度を向上できる。この第２の試し書きで求めた記録パワー、消去パワーは信号処理回路８の動作によって第２パワー記憶部１２に記憶され、以降の記録ではパワー制御回路９は第２パワー記憶部１２に記憶されている記録パワー、消去パワーデータを読み出してレーザ駆動回路７に送出する。以上の動作で第２の試し書き実施以降はオーバーライトに適した記録パワーで記録されるため、オーバーライト特性の悪化によるライトリトライの増加がなくなり、記録所要時間の増加を防ぐことができる。
【００２９】
図６に本発明における第２の試し書き実施時の最適パワー設定方法を示す。
【００３０】
通常のパワー試し書きに使用するパワー設定範囲内では記録パワーを上げれば上げるほど再生ジッターは低下するため、再生ジッター最小という条件で検出系の閾値を決定すると高記録パワーとなりやすいという問題がある。また必要以上にパワー増して記録すると次回のオーバーライトによる記録品質の確保がさらに難しくなることも考えられる。そのため、本発明では検出系の閾値を記録品質が最良になる点ではなく、再生時に読み出しエラーとならない程度の記録品質を確保できるような値に設定するようにした。
【００３１】
通常、互換性能を確保するためには再生ジッターは１２％以下といわれているが、ここではさらにマージンを見積もって１１％以下を検出系の閾値としている。図６はあらかじめ再生ジッターとエラー数の関係を測定しておき、再生ジッター１１％以下が、たとえばエラー数５０以下に対応した例について示しており、ここでは第１の試し書きによって求めたパワーに対して＋８％した値を第２の試し書き取得パワーとして設定している。この結果、オーバーライト部の記録品質は未記録部に記録した場合の記録品質よりも悪くはなるが、読み出しエラーなく再生可能なレベルであるため、ライトリトライ多発による記録時間の増加を防ぐことができる。
【００３２】
また、本発明の第２の試し書きにおけるＰｗスキャン、またはＰｗ／Ｐｅスキャン範囲は、第１の試し書き取得パワーを下限とし、最大値は第１の試し書き取得パワーの１．１５倍（＋１５％）程度に選ぶ。これはもともとの第１の試し書きの設定誤差を考慮してディスク１に過大パワーがかからないようにするためである。このようなパワースキャン範囲に設定することにより第２の試し書きに使用するデータエリアの記録膜に損傷を与えることがないので、同エリアを再度データ記録領域に割り当てても問題なく使用できる効果がある。また同エリアをスキップし次ブロックから情報データを記録するようにしても良い。
【００３３】
図７に本発明によるパワー再設定方法の一例を示す。
【００３４】
ＤＶＤ−ＲＡＭのＣＬＶ（Ｃｏｎｓｔａｎｔ  Ｌｉｎｅａｒ  Ｖｅｌｏｃｉｔｙ）記録の場合、内周、外周の最適パワーはほぼ等しくなるはずであるが、実際には光ディスク記録装置１３のピックアップ４とディスク１のメカニカルな位置関係などの影響から、内周に比べ外周最適パワーのほうが大きくなる傾向がある。そこで図７中の破線部に示すように第１の試し書きでは最内周、最外周のそれぞれの最適パワーを検出し各ゾーンの記録パワー値を線形補間法によって設定している。この構成に対し本発明では、オーバーライト時に記録品質が確保できず前述した方法で任意のゾーンで第２の試し書きを行った後は、そのゾーンにおけるローディング時の第１の試し書きによるパワー値と新たにオーバーライト用に実施した第２の試し書きによって得られたパワー値の比で各ゾーンのパワーを再設定するようにした。図７はＰｗスキャンによるパワー設定方法を示したものであり、破線は前述したように第１の試し書きによって求めた各ゾーンの記録パワー（Ｐｗ**-1）値を示し、実線は本発明による第２の試し書きが実施された後の記録パワー値を示している。第２の試し書きがたとえばゾーン２０で実施され、ゾーン２０における第１の試し書きによる取得パワーをＰｗ20-1、第２の試し書きによる取得パワーをＰｗ20-2とすると、各ゾーンの第２の試し書き終了後のパワーＰｗ**-2は次式（１）
Ｐｗ**-2＝Ｐｗ**-1×Ｐｗ20-2／Ｐｗ20-1  ・・・  （１）
で表わせるようにゾーン２０でのパワー比と同一の比で各ゾーンの記録パワーを変換する。
【００３５】
このようにすれば第２の試し書きはデータ記録開始ゾーンで１回だけ実施すればよく、最内周、最外周の２回にわたって実施する第１の試し書きに比べ、その所要時間を１／２に低減できる効果がある。
【００３６】
図７はＰｗスキャンの例であるが、第２の試し書きはＰｗ／Ｐｅスキャンであってもよく、各ゾーンの第２の消去パワーも同様の計算で設定できる。
【００３７】
本実施形態においては、一度第２の試し書きを行った後は一連の記録が終了するまでは第２の試し書き取得パワーで記録される。このとき、記録動作が未記録領域に入った場合には、若干高パワーで記録されるが、最大でも第１の試し書き取得パワーの１．１５倍程度でありディスク１に損傷を与えることはない。またディスク１が挿入されたままで新たな記録実行命令がドライブ制御部１４より出力されると、まずは上記第１の試し書き取得パワーでデータを記録し始め、ここでライトリトライが発生しなければ以降もこのパワーで記録を続行し、また反対にライトリトライが多発する場合には、オーバーライト判定回路１０は、当該記録部分の記録品質の悪化がオーバーライト特性によるものと判断し、第２の試し書き取得パワーで以降の記録を行わせるようにする。
【００３８】
以上の構成により、オーバーライト判定回路１０の動作によりライトリトライの回数情報から記録部分が未記録か記録済みかを判別でき、少なくとも記録動作が未記録部分から始まった場合には、記録動作が既記録部分に移って第２の試し書きが実施されるまでは、未記録部に対する最適パワーで記録できる。
【００３９】
一方でこのようにオーバーライト特性が悪化するディスク１の種類は少ないため、最初のディスクローディング時にディスクＩＤ情報を読み取り、信号処理回路８に登録してあるオーバーライト特性の悪いディスクと判別されたときに、本発明の記録方法を適用するようにしても良い。この構成により、通常のディスク１では第２の試し書きを行うパスが存在せず、光ディスク記録装置１３の動作安定性を増すことができる。
【００４０】
図８に本発明による第１の実施形態のフローチャートを示す。図８は前述してきた本発明による光ディスク記録装置１３の記録動作を説明するもので、オーバーライト判定回路１０の動作により使用しているディスク１のオーバーライト特性が悪いと判断された時に、既に記録されている部分を使用してオーバーライト用の第２の試し書きを実施する点に特徴がある。
【実施例２】
【００４１】
図９に本発明による第２の実施形態のフローチャートを示す。記録装置の回路構成は図１に示したものと同じである。
【００４２】
図９示す第２の実施形態においては、ディスク１をローディングしてから第１の試し書きが終了するまでの動作は前述した第１の実施例と同じである。ここで、これから情報データを記録する領域が既に記録済みであるとわかっている場合には第１の試し書きに引き続いて、この記録済み領域を使用して第２の試し書きを実施するようにした。第２の試し書きの動作については前述した第１の実施例と同じである。次に記録動作が開始されリードアフタライト時にライトリトライが多発し、オーバーライト判定回路１０がオーバーライト特性の悪化と判断した場合には、直ちに第２のパワーに切り換えて記録を行う。この一連の動作によりディスク１のローディング時の試し書きに数秒程度の時間増加が発生するが、データ記録中には試し書きを行うことがないので、記録動作を連続して行えるという効果がある。
【実施例３】
【００４３】
図１０に本発明による第３の実施形態のフローチャートを示す。この場合も記録装置の回路構成は図１に示したものと同じで実現できる。
【００４４】
図４の例に示したように、ＤＶＤ−ＲＡＭにおいて時間とともにオーバーライト特性が悪化するディスクはランド側のみ性能が低下している。そこで図１０に示した第３の実施形態では図８に示した第１の実施形態に対し、ライトリトライ多発時にはランド側だけ第２の試し書きを行い、ランド側は前記第２の試し書きで求めたパワーで、グルーブ側はディスクローディング時に行う第１の試し書きで求めたパワーで以降のデータを記録するようにしている。ランド側のみの試し書きを行うので、前述した第１、第２の実施形態に対して第２の試し書き所要時間をさらに１/２に短縮できる効果がある。
【００４５】
図１０は図８に示した第１の実施形態における第２の試し書きへの適用を示した例であるが、図９に示した第２の実施形態における第２の試し書きに適用しても、第２の試し書き所要時間を半減できる効果がある。
【００４６】
以上、本発明の光ディスク記録方法および光ディスク記録装置を使用することにより、オーバーライト特性の悪いディスクに対しても記録所要時間を増加させることがなく安定な記録を提供できる。
【００４７】
本発明の光ディスク記録方法および光ディスク記録装置を使用することにより、オーバーライト特性の悪いディスクに対しても記録所要時間を増加させることがなく安定な記録を提供できる。また必要以上の高記録パワーでオーバーライトすることがないため、次回の同部分のオーバーライト時にさらなる高記録パワーに設定されることを防げ、ディスクの使用寿命を縮めることがない。
【００４８】
また本発明の第４の記録方法では、第２の試し書きはランド側のみ実施するため、本発明による第１、第２の記録方法に対し、データ記録前、あるいは記録中に行う第２の試し書き所要時間を約１／２に短縮できる。
【００４９】
また本発明の第７の記録装置では、オーバーライト特性が悪くない一般的なディスク１では第２の試し書きを行わないため、光ディスク装置１３の動作安定性を増す効果がある。
【００５０】
また本発明の詳細をＤＶＤ−ＲＡＭを例として説明してきたが、記録媒体はこれに限らず最近製品化されたＢｌｕ−ｒａｙ  Ｄｉｓｃ装置における書き換え可能なＢＤ−ＲＥ  ディスクに対しても適用できる。
【図面の簡単な説明】
【００５１】
【図１】本発明による第１の実施形態であるディスク記録装置のブロック図
【図２】消去パワーに対するオーバーライト特性の一例を示す図
【図３】記録パワーに対するオーバーライト特性の一例を示す図
【図４】記録パワーに対するオーバーライト特性の一例を示す図
【図５】オーバーライト回数とエラー数の関係を示した図
【図６】本発明における第２の試し書き時の最適パワー設定方法を示す図
【図７】本発明によるパワー再設定方法の一例を示す図
【図８】本発明による第１の実施形態のフローチャート図
【図９】本発明による第２の実施形態のフローチャート図
【図１０】本発明による第３の実施形態のフローチャート図
【符号の説明】
【００５２】
１‥ディスク、２‥モータ、３‥サーボ回路、４‥ピックアップ、５‥ＲＦアンプ、
６‥イコライザ回路、７‥レーザ駆動回路、８‥信号処理回路、９‥パワー制御回路、
１０‥オーバーライト判定回路  １１‥第１パワー記憶部、１２‥第２パワー記憶部、１３‥光ディスク記録装置、１４‥ドライブ制御装置
【図１】
2008117458.tif 000003
【図２】
2008117458.tif 000004
【図３】
2008117458.tif 000005
【図４】
2008117458.tif 000006
【図５】
2008117458.tif 000007
【図６】
2008117458.tif 000008
【図７】
2008117458.tif 000009
【図８】
2008117458.tif 000010
【図９】
2008117458.tif 000011
【図１０】
2008117458.tif 000012
【手続補正書】
【提出日】平成18年11月22日(2006.11.22)
【手続補正１】
【補正対象書類名】明細書
【補正対象項目名】００４７
【補正方法】変更
【補正の内容】
【００４７】
また必要以上の高記録パワーでオーバーライトすることがないため、次回の同部分のオーバーライト時にさらなる高記録パワーに設定されることを防げ、ディスクの使用寿命を縮めることがない。